(57)【特許請求の範囲】
【請求項１】
河川の底部を掘り下げてタンク用凹部を構成し、該タンク用凹部の底面及び周側面を遮水手段で被覆してその内側にタンク用空間を生じさせ、該タンク用空間内に複数の単位骨格部材を充填して空間保持骨格を構成するとともに、該空間保持骨格の上部を被覆材で透水状態に被覆した用水貯留タンク。
【請求項２】
前記河川の流れ方向に沿って長いタンク用凹部を掘り下げ構成し、その底面及び周側面を遮水手段で被覆して河川の流れ方向に沿って長いタンク用空間を生じさせるとともに、該タンク用空間を長さ方向に短くなるように遮水手段で複数区画に区画した請求項１の用水貯留タンク。
【請求項３】
前記遮水手段としてゴムシートを採用した請求項１又は２の用水貯留タンク。
【請求項４】
前記単位骨格部材を、前後左右及び上下方向に接続手段を有する籠状部材に構成した請求項１、２又は３の用水貯留タンク。
【請求項５】
前記被覆材として、藁、椰子殻炭及び砂利の混合物を用いた請求項１、２、３又は４の用水貯留タンク。
【発明の詳細な説明】
【０００１】
【発明の属する技術分野】
本発明は、河川水を防火用、散水用又は農業用水用等の飲用以外の用途に用いるために貯留保管する用水貯留タンクに関する。
【０００２】
【従来の技術】
河川水を防火用水、散水用水又は農業用水として用いることはしばしば行なわれてきている。しかし河川水をそのために保管することは農業用水としてしか行なわれていないように思われる。そして河川水を農業用水として保管する技術としては、単に、溜め池を作って、これに河川水を導入することが行なわれているに過ぎない。
【０００３】
これらの溜め池は単に河川水を溜めているに過ぎないので、河川の流れが少なくなる渇水時には、同時に干上がり、いざという時になくなってしまうことが多いと云う問題がある。
【０００４】
【発明が解決しようとする課題】
本発明は、以上のような問題を解決し、河川水を、その品質を良好に保持しつつ確実に保管し、渇水時にも容易に水を失わない用水貯留タンクを提供することを解決の課題とするものである。
【０００５】
【課題を解決するための手段】
本発明の構成の要旨とするところは、
河川の底部を掘り下げてタンク用凹部を構成し、該タンク用凹部の底面及び周側面を遮水手段で被覆してその内側にタンク用空間を生じさせ、該タンク用空間内に複数の単位骨格部材を充填して空間保持骨格を構成するとともに、該空間保持骨格の上部を被覆材で透水状態に被覆した用水貯留タンクであり、これによって前記課題を解決することができる。
【０００６】
前記タンク用凹部は、平面から見て長さ方向に沿ってほぼ長方形が適当であるが、特別に形状を限定する必要はない。
例えば、前記河川の流れ方向に沿ってかなり長いタンク用凹部を掘り下げ構成した場合は、その底面及び周側面を遮水手段で被覆して河川の流れ方向に沿って長いタンク用空間を生じさせるとともに、該タンク用空間を長さ方向に短くなるように遮水手段で複数区画に区画するのが適当である。
【０００７】
前記遮水手段としては、種々の手段を採用可能であるが、ゴムシートが簡易で適当である。
前記単位骨格部材も空間保持骨格を構成するのに適当なものであれば、特定の構成のものに限定されない。例えば、前後左右及び上下方向に接続手段を有する籠状の部材に構成することができる。
また前記被覆材としては、例えば、藁、椰子殻炭及び砂利の混合物を用いることができる。もっともこれに限定する必要はなく、砂利のみを用いることもできる。即ち、被覆した状態で、前記タンク用空間と河川間に水の流通が可能でありつつ、太陽光線がタンク用空間内に差し込まないようなものであれば、どのような部材で構成しても良い。
【０００８】
本発明はこのような構成であるから、河川水が充分である時点で、砂利等の被覆材を通じてタンク用空間内に流れ込み、これが保管されることになる。タンク用空間内に保管されている河川水は被覆材で太陽光線が遮断されているので、容易に腐敗等が生ぜず、良好な状態が保持される。
また日照りが続く等により、河川の水が減少乃至なくなった場合でも河川の底部下に構成してあるので、その後まで河川水の保管を継続することができる。したがって河川等が枯れた渇水時にも防火用水や農業用水として有用に用いることができる。
【０００９】
【発明の実施の形態】
以下、本発明の実施の形態を添付図面に基づいて詳細に説明する。
図１〜図４は本発明の一つの実施の形態を示している。
図１は一実施形態を示す概略断面説明図、図２はその上部の被覆材を省略した状態の平面説明図、図３は単位骨格部材である籠状部材の一部切欠正面図、図４は単位骨格部材である籠状部材の結合した状態を示す側面断面説明図である。
【００１０】
先ず、図３に基づいて、この実施の形態で用いる単位骨格部材である籠状部材１を説明する。
この籠状部材１は、容器部２と、その上部開口端から底板と平行に外方に延びる上下結合用板部３と、該上下結合用板部３の外端から垂下する前後左右結合板部４とからなるもので、容器部２の底板、上下結合用板部３及び前後左右結合板部４には、それぞれ前後左右に隣接する又は上下に隣接する相互をボルト・ナットにより結合するためのボルト孔５が穿設してある。
またこの籠状部材１は、容器部２と前後左右結合板部４とに種々の寸法形状の通孔６、６…を開口してあるものである。
【００１１】
この実施の形態では、図１に示すように、河川２１の底部２２を掘り下げてタンク用凹部２３を構成し、このタンク用凹部２３の底面及び周側面に沿って遮水手段であるゴムシート２４を配する。図２に示すように、この実施の形態ではタンク用凹部２３を河川２１の流れ方向に沿って長く構成したので、これを三区分にすべく分け、その境界にもゴムシート２４を配して、各区画間の水の流通を阻止する。
【００１２】
前記タンク用凹部２３中にゴムシート２４を配して生じさせた三区画のタンク用空間２５、２５、２５のそれぞれには、図４に示すように、前記籠状部材１、１…を前後左右及び上下に結合して空間保持骨格２６を構成して充填する。
こうした上で、上向きに配した最上部の籠状部材１、１…の容器部２中に被覆材２７である椰子殻炭を混入させた砂利等を充填する。更にその上にも若干の砂利等を追加して載せる。
こうして河川水を良質な状態で渇水期のために保管する用水貯留タンクを完成させることができる。
【００１３】
この実施の形態では、このように構成したので、河川水は、これが河川２１を充分に流れている時点で、砂利等の被覆材２７を通じてタンク用空間２５、２５、２５内に流れ込んで保管されることになる。タンク用空間２５、２５、２５内に保管されている河川水は被覆材２７で太陽光線が遮断されているので、渇水期で新たな水が流入することがなくなった場合にも、容易に腐敗等が生ぜず、良好な状態で保持される。
またこの用水貯留タンクは、日照りが続く等により、河川の水が減少乃至なくなった場合でも河川の底部下に構成してあるので、その後まで河川水の保管を継続することができる。したがって河川等が枯れた渇水時にも防火用水や農業用水として有用に用いることができる。
保管水の汲み出しはポンプ装置等により行なうことができる
【００１４】
【発明の効果】
したがって本発明によれば、渇水期のために河川水を、腐敗その他を生じさせることなく、良質な状態で確実に保管することができる。構成が簡単であるから安価に築造し得る。また河川中に構成するものであるから、新たな土地の必要性がなく、河川の土地の有効利用となる。
タンク用凹部を複数に区画して河川水を保管する事とすることにより、いずれかの遮水手段に損傷が生じた場合にも全ての水を失ってしまうようなことがない利点が得られる。
【図面の簡単な説明】
【図１】一実施形態を示す概略断面説明図。
【図２】上部の被覆材を省略した状態の平面説明図。
【図３】単位骨格部材である籠状部材の一部切欠正面図。
【図４】単位骨格部材である籠状部材の結合した状態を示す側面断面説明図。
【符号の説明】
１    籠状部材
２    容器部
３    上下結合用板部
４    前後左右結合板部
５    ボルト孔
６    通孔
２１  河川
２２  底部
２３  タンク用凹部
２４  ゴムシート
２５  タンク用空間
２６  空間保持骨格
２７  被覆材
【図１】
0003689464.tif 000002
【図２】
0003689464.tif 000003
【図３】
0003689464.tif 000004
【図４】
0003689464.tif 000005